(57)【要約】【課題】  従って、本発明の目的は、中空糸膜への髪の毛等の繊維状の夾雑物の付着に起因する被処理水の処理能力の低下を防止し得る中空糸モジュールを提供する。【解決手段】  水処理槽内に供給される被処理水に浸漬され、複数の中空糸膜の上端部が開口した状態で固定される上部固定部２を備え、前記複数の中空糸膜の下端部付近にエアスクラビング用の空気噴出孔を有する中空糸モジュールにおいて、前記上部固定部２と下部固定部４とにより両端が固着された中空糸膜群５の内側位置から、この中空糸膜群５から外方に離れるに連れて斜め上方に延び、前記被処理水中に混入している毛髪等の繊維状の夾雑物を中空糸膜群５内から外方に誘導する夾雑物除去部材７ｂを備えた夾雑物除去装置７を設ける。【選択図】        図１
2006204978.tif 000002
【特許請求の範囲】
【請求項１】
水処理槽内に供給される被処理水に浸漬され、複数の中空糸膜の上端部が開口した状態で固定される上部固定部を備え、前記複数の中空糸膜の下端部直下または付近にエアスクラビング用の複数の空気噴出孔を有する下部固定部を備えた中空糸モジュールにおいて、前記上部固定部と下部固定部とにより両端が固着された中空糸膜群の内側位置から、この中空糸膜群から外方に離れるに連れて斜め上方に延び、前記被処理水中に混入している繊維状の夾雑物を前記中空糸膜群の外方に誘導する夾雑物除去部材を設けたことを特徴とする中空糸モジュール。
【請求項２】
前記夾雑物除去部材は、棒部材から構成されてなることを特徴とする請求項１に記載の中空糸モジュール。
【請求項３】
前記棒部材は、挿脱自在に構成されてなることを特徴とする請求項２に記載の中空糸モジュール。
【請求項４】
前記棒部材の棒本体の先端部分に、外方に延びる複数の細線状部材が植設されてなることを特徴とする請求項３に記載の中空糸モジュール。
【請求項５】
前記夾雑物除去部材は、中空糸膜群の上部固定部の下方位置に設けられていることを特徴とする請求項１に記載の中空糸モジュール。
【請求項６】
前記請求項１乃至５のうちの何れか一つの項に記載の中空糸モジュールが、その上部固定部が被処理水の水面下に水没する状態に設置されてなることを特徴とする水処理装置。
【発明の詳細な説明】
【技術分野】
【０００１】
本発明は、河川水等の浄水処理、あるいは下水、工業廃水等の膜分離活性汚泥法による汚水浄化処理等に用いられる中空糸モジュールおよび水処理装置に関するものである。
【背景技術】
【０００２】
近年、膜分離活性汚泥法による汚水浄化処理において、吸引により中空糸膜内を負圧にして被処理水を膜ろ過する固液分離を行って透過水を得る中空糸モジュールが用いられるようになってきている。中空糸モジュールは、一般に、水処理槽における好気槽で好気性処理された被処理水（活性汚泥混合液）中に、中空糸膜を上下方向に伸ばした状態で浸漬される。このような中空糸モジュールとしては、例えば後述するような構成になるものが公知である。
【０００３】
以下、上記のような従来例に係る中空糸モジュールの概要を、添付図面を参照しながら紹介する。図１５は、従来例に係る中空糸モジュールの一部断面示概念図である。同図に示す符号７０は、従来例に係る中空糸モジュールであり、この中空糸モジュール７０は、後述する構成になる上部固定部７２および下部固定部７４を備えている。これら上・下部固定部７２，７４の中心は、これら上・下部固定部７２，７４と直交する支持棒７６により連結支持されて一体的に構成されている。
【０００４】
上部固定部７２と下部固定部７４の間には、複数本の中空糸膜の両端を接着した複数の中空糸束７８が支持棒７６を中心として、この支持棒７６の周囲に配置され、支持棒７６の両端と共に一体的に構成されている。中空糸束７８の上端は開口しており、下端は接着剤により封止されている。そして、上部固定部７２の上には、内部に透過液の集液室７５が設けられてなるキャップ７３が配置されており、集液室７５は透過液出口（または逆圧洗浄水入口）８２に連通している。また、下部固定部７４には、圧縮空気を供給する空気供給管８４が接続されると共に、この空気供給管８４から供給される圧縮空気を上部固定部７２側であって、かつ中空糸束７８同士の間やその外周部に噴出させる空気噴出孔８６が設けられている。つまり、下部固定部７４に設けられた空気噴出孔８６により、中空糸束７８のエアスクラビングによる洗浄が行われるように構成されている。
【０００５】
上記構成になる中空糸モジュール７０は、図示しない生物反応槽の好気槽内の被処理水中に浸漬して使用される。この中空糸モジュール７０によるろ過運転時に際して、生物反応槽内の被処理水は、透過液出口８２に連通し、吸引ポンプが介装されてなる吸引管を介してろ過される。より詳しくは、生物反応槽内の被処理水は、中空糸束７８を構成する中空糸膜の外表面から内部空間に侵入してろ過され、内部空間に侵入した透過液は中空糸膜内を流れて、中空糸束７８の上端から集液室７５内に流入すると共に、透過液出口８２から排出される。
【０００６】
このような中空糸モジュール７０のろ過運転の継続により、中空糸膜の外表面に有機物からなる懸濁物質が次第に付着して次第にろ過性能が低下していく。そのため、必要に応じて、あるいはろ過運転中常時、下部固定部７４に設けられた空気供給管８４から空気噴出孔８６に圧縮空気を供給することにより、エアスクラビングを行って、中空糸膜の外表面に付着している懸濁物質を除去するようにしている（例えば、特許文献１参照。）。
【特許文献１】特開２００３−３２６１４０号公報
【０００７】
なお、生物反応槽の好気槽を好気性状態に保持する曝気のための圧縮空気供給装置は、中空糸モジュールが浸漬される生物反応槽の好気槽の底部に設けられている。
【発明の開示】
【発明が解決しようとする課題】
【０００８】
浄化処理すべき生物反応槽内の被処理水の中には、髪の毛等の繊維状の夾雑物が混入している。そのため、混入している髪の毛等の繊維状の夾雑物が、生物反応槽内に吹き込まれる圧縮空気による上昇流に流されて中空糸モジュールに沿って上昇し、中空糸モジュールの各中空糸束に付着したり、絡み付いたりする。このような髪の毛等の繊維状の夾雑物は、懸濁物質と異なり、たとえ空気供給管から空気噴出孔に圧縮空気を供給してエアスクラビングを行っても完全には除去することができない。そのため、稼動時間が経過するに連れて、夾雑物の堆積による中空糸膜の有効膜面積が減少し、これに伴って透過液の量が減少する結果、中空糸モジュールの被処理水の処理能力が低下するという問題があった。
【０００９】
従って、本発明の目的は、中空糸膜の膜面への髪の毛等の繊維状の夾雑物の絡みつきや付着を効果的に阻止することにより、髪の毛等の繊維状の夾雑物の絡みつきや付着に起因する被処理水の処理能力の低下を防止することを可能ならしめるようにした中空糸モジュールおよび水処理装置を提供することである。
【課題を解決するための手段】
【００１０】
発明者らは、髪の毛等の繊維状の夾雑物が中空糸モジュールの各中空糸束に付着したり、絡み付いたりする前に中空糸モジュールの外側に誘導すれば、髪の毛等の繊維状の夾雑物の付着に起因する中空糸モジュールの被処理水の処理能力の低下を防止することが可能になると考えて、本発明をなしたものである。
【００１１】
従って、上記課題を解決するために、本発明の請求項１に係る中空糸モジュールが採用した手段は、水処理槽内に供給される被処理水に浸漬され、複数の中空糸膜の上端部が開口した状態で固定される上部固定部を備え、前記複数の中空糸膜の下端部直下または付近にエアスクラビング用の複数の空気噴出孔を有する下部固定部を備えた中空糸モジュールにおいて、前記上部固定部と下部固定部とにより両端が固着された中空糸膜群の内側位置から、この中空糸膜群から外方に離れるに連れて斜め上方に延び、前記被処理水中に混入している繊維状の夾雑物を前記中空糸膜群の外方に誘導する夾雑物除去部材を設けたことを特徴とするものである。
【００１２】
本発明の請求項２に係る中空糸モジュールが採用した手段は、請求項１に記載の中空糸モジュールにおいて、前記夾雑物除去部材は、棒部材から構成されてなることを特徴とするものである。
【００１３】
本発明の請求項３に係る中空糸モジュールが採用した手段は、請求項２に記載の中空糸モジュールにおいて、前記棒部材は、挿脱自在に構成されてなることを特徴とするものである。
【００１４】
本発明の請求項４に係る中空糸モジュールが採用した手段は、請求項３に記載の中空糸モジュールにおいて、前記棒部材の棒本体の先端部分に、外方に延びる複数の細線状部材が植設されてなることを特徴とするものである。
【００１５】
本発明の請求項５に係る中空糸モジュールが採用した手段は、請求項１に記載の中空糸モジュールにおいて、前記夾雑物除去部材は、中空糸膜群の上部固定部の下方位置に設けられていることを特徴とするものである。
【００１６】
本発明の請求項６に係る水処理装置が採用した手段は、前記請求項１乃至５のうちの何れか一つの項に記載の中空糸モジュールが、その上部固定部が被処理水の水面下に水没する状態に設置されてなることを特徴とするものである。
【発明の効果】
【００１７】
本発明の請求項１乃至５に係る中空糸モジュールでは、浄化処理すべき生物反応槽内の被処理水中の髪の毛等の繊維状の夾雑物が、生物反応槽内に吹き込まれる空気による上昇流に随伴されて中空糸膜群に沿って上昇するが、中空糸膜に絡みついたり、付着したりする前に、夾雑物除去部材よって中空糸膜群外に誘導することができる。従って、本発明の請求項１乃至５に係る中空糸モジュールによれば、従来例のように、髪の毛等の繊維状の夾雑物の絡みつきや付着による堆積に起因して中空糸モジュールの被処理水の処理能力が低下するようなことがない。
【００１８】
本発明の請求項３に係る中空糸モジュールによれば、髪の毛等の繊維状の夾雑物が絡み付いたり、付着したりした棒部材を取外し、新品の棒状部材を取り付けた後、取外した棒部材だけを掃除すればよいから、掃除の労力並びにランニングコストの低減に寄与することができる。
【００１９】
本発明の請求項４に係る中空糸モジュールによれば、棒部材の棒本体の先端部分に複数の細線状部材が植設されているから、細線状部材が植設されていない棒本体だけの場合よりも能率良く髪の毛等の繊維状の夾雑物を捕捉することができる。
【００２０】
本発明の請求項６に係る水処理装置によれば、中空糸膜群に沿って上昇する夾雑物が中空糸モジュールに設けられている夾雑物除去部材によって外方に誘導されると共に、その棒部材に絡み付いて捕捉される。従って、長期間に亘って効率良く被処理水を濾過し続けることができるから、水処理装置のメンテナンスコストを低減させることができる。
【発明を実施するための最良の形態】
【００２１】
以下、本発明の形態１に係る中空糸モジュールを、添付図面の図１乃至４を順次参照しながら説明する。図１は本発明の形態１に係る中空糸モジュールの側面図であり、図２は図１のＡ−Ａ線断面図であり、図３は夾雑物除去装置の正面図であり、図４は図３のＢ部拡大図である。
【００２２】
図１に示す符号１は、本発明の形態１に係る中空糸モジュールであって、この中空糸モジュール１は、後述する上部固定部２および下部固定部４を備えている。これら上・下部固定部２，４は、これら上・下部固定部２，４の端縁付近の二個所で、これら上・下部固定部２，４と直交する２本の支持棒３により連結支持されて一体的に構成されている。
【００２３】
上部固定部２と下部固定部４の間には、複数本の中空糸膜の両端を接着した複数本の中空糸膜からなる中空糸膜群５が支持棒３の内側おいて、略円柱形になるように配置され、支持棒３の両端と共に一体的に構成されている。中空糸膜群５を構成する中空糸膜の上端は開口しており、下端は接着剤により封止されている。前記上部固定部２の上であって、かつ径方向の中心部位には透過液出口（または逆圧洗浄水入口）２ａが設けられている。
また、下部固定部４には、空気を供給する空気供給管６が接続されると共に、この空気供給管６から供給される空気を上部固定部２側方向、かつ中空糸膜群５の中空糸膜同士の間やその外周部に噴出させる空気噴出孔（図示省略）が設けられている。つまり、下部固定部４に設けられた空気噴出孔により、中空糸膜群５の中空糸膜のエアスクラビングによる洗浄が行われるように構成されている。
【００２４】
前記上部固定部２の下面には、主要部が前記中空糸膜群５内に隠された状態で、後述する夾雑物除去装置７が固着されている。この夾雑物除去装置７は、図２に示すように、前記上部固定部２の下面、かつ径方向の中心に一端側が連結された棒支持ロッド７ａを備えている。この棒支持ロッド７ａの下端部付近の外周には、図２、図３に示すように、先端側に行くほど上向き（この形態１の場合、傾斜角度θは４５°に設定されている。）に延びる、後述する構成になる真直状の８セットの夾雑物除去部材７ｂが、前記棒支持ロッド７ａの径方向の中心を中心とする放射状に固着されている。
【００２５】
前記夾雑物除去部材７ｂは、基端部が前記棒支持ロッド７ａの下端部付近に固着され、夾雑物を中空糸膜群外へ誘導するための夾雑物誘導棒７ｃと、この夾雑物誘導棒７ｃの先端に固着された棒嵌挿パイプ７ｄに、夾雑物を絡め付かせて捕捉するための挿脱自在な後述する夾雑物第２誘導棒７ｅとから構成されている。前記棒嵌挿パイプ７ｄの先端部分は中空糸膜群５から若干突出しており、そして前記上部固定部２の上面と棒嵌挿パイプ７ｄの突出部までの寸法Ｌは２０ｃｍ程度に設定されている。
【００２６】
なお、前記寸法Ｌを、上記のように２０ｃｍ程度に設定したのは、下記の理由によるものである。即ち、この棒嵌挿パイプ７ｄの突出部より上方の領域は、水処理槽内の被処理水の流れの向きが上方から水平に変換される方向変換領域である。そして、この方向変換領域の外方領域は、隣接する中空糸モジュールから水平向きの流れもあって、被処理水の流れが乱れる乱流領域でもある。従って、これら方向変換領域と乱流領域とにおいては、髪の毛等の繊維状の夾雑物が最も効果的に除去し得ると考えられるからである。
【００２７】
前記夾雑物第２誘導棒７ｅは、図４に示すように、棒本体と、この棒本体に嵌着される鍔状のストッパ７ｆとから構成されており、このストッパ７ｆが棒嵌挿パイプ７ｄの端面に当接するまで、この夾雑物第２誘導棒７ｅの基端側が棒嵌挿パイプ７ｄに嵌挿されるように構成されている。この夾雑物第２誘導棒７ｅの棒嵌挿パイプ７ｄからの突出長さは、隣接する中空糸モジュールとの間の間隔によって設定（前端が干渉することがないように設定。）されており、特にその長さに限定されるものではない。ところで、本発明の形態１に係る中空糸モジュール１の交雑物除去装置７では、上記のとおり、夾雑物除去部材７ｂが８セット設けられているが、９セット以上設けられていても良いので、特に８セットに限定されるものではない。なお、この交雑物除去装置７は、ステンレス鋼から構成されているが、プラスチック等から構成されていても良い。
【００２８】
以下、上記構成になる中空糸モジュール１の作用態様を説明する。本形態１に係る中空糸モジュール１では、浄化処理すべき生物反応槽内の被処理水の中に混入している髪の毛等の繊維状の夾雑物が、水処理槽内に吹き込まれる圧縮空気による上昇流に随伴されて中空糸膜群５に沿って上昇する。そして、上昇する夾雑物は、夾雑物除去部材７ｂの夾雑物誘導棒７ｃに当たって、この夾雑物誘導棒７ｃの傾斜に沿って上昇して中空糸膜群５外に誘導される。前記棒嵌挿パイプ７ｄの突出部より上方の夾雑物第２誘導棒７ｅは、上記のとおり、被処理水の上昇流の方向変換領域、この方向変換領域の外方の乱流領域にあるから、髪の毛等の繊維状の夾雑物は夾雑物第２誘導棒７ｅに沿って除去される。即ち、夾雑物は、中空糸膜に絡み付いたり、付着したりする前に、夾雑物誘導棒７ｃ、夾雑物第２誘導棒７ｅにより誘導されて中空糸膜群５外に除去される。
【００２９】
従って、本発明の形態１に係る中空糸モジュール１によれば、従来例のように、髪の毛等の繊維状の夾雑物の絡み付きや付着による堆積に起因して被処理水の処理能力が低下するようなことがない。また、髪の毛等の繊維状の夾雑物が絡み付いたり、付着したりした夾雑物第２誘導棒７ｅを棒嵌挿パイプ７ｄから抜き取り、新品の夾雑物第２誘導棒７ｅを棒嵌挿パイプ７ｄに嵌挿した後、抜き取った夾雑物第２誘導棒７ｅだけを掃除すればよいから、掃除の労力並びにランニングコストの低減に寄与することができる。
【００３０】
本発明の形態２に係る中空糸モジュールを、夾雑物除去装置の斜視図の図５を参照しながら説明する。なお、本発明の形態２が上記形態１と相違するところは、夾雑物除去装置の構成の相違にあり、それ以外は全く同構成であるから、夾雑物除去装置の構成についての説明に止める。
【００３１】
即ち、上部固定部２の上面であって、その外縁付近の周方向に所定の間隔で、水平板部材に設けられた穴に通される図示しないボルトにより、後述する夾雑物除去装置８が複数固着されている。この夾雑物除去装置８は、ボルトによって上部固定部２の上面に固着される水平板部材と、この水平板部材と直角に連なり、下方に延びる垂直板部材とからなる支持ブラケット８ａを備えている。この支持ブラケット８ａの下端付近には、棒嵌挿パイプ８ｂが斜め上向き（傾斜角度は４５°である。）に突設されており、この棒嵌挿パイプ８ｂに、後述する構成の夾雑物除去部材８ｃが嵌挿されている。この夾雑物除去部材８ｃは、ストッパ８ｆで位置決めされ、棒嵌挿パイプ８ｂから突出して、図示しない中空糸膜群中に突入する夾雑物誘導棒８ｄと、ストッパ８ｆの反棒嵌挿パイプ８ｂ側の夾雑物第２誘導棒８ｅとから構成されている。
【００３２】
本発明の形態３に係る中空糸モジュールを、夾雑物除去装置の側面断面図の図６と、図６のＣ部拡大図の図７とを参照しながら説明する。なお、本形態３が上記形態１と相違するところは、夾雑物除去装置の構成の相違にあり、それ以外は全く同構成であるから、夾雑物除去装置の構成についての説明に止める。
【００３３】
本発明の形態３に係る中空糸モジュールの夾雑物除去装置９は、中空糸モジュールの上部固定部側から外装されて装着されるもので、後述するように構成されている。即ち、この夾雑物除去装置９は、上部固定部の上面に支えられる水平板部材と、この水平板部材と直角に連なり、下方に延びる垂直板部材とからなる、側面視Γ状の支持ブラケット９ａを備えている。そして、この支持ブラケット９ａの下端部に、所定幅の条部材からなる円環９ｂが固着されている。この円環９ｂの上端面側の周方向には、上向きに傾斜した複数の棒嵌挿パイプ９ｃが所定の間隔で固着されており、これら棒嵌挿パイプ９ｃのそれぞれに上記形態２において用いたものと同構成になる夾雑物除去部材８ｃの夾雑物誘導棒８ｄ側が嵌挿されている。なお、本形態３に係る中空糸モジュールの夾雑物除去装置９の場合には、斜め上向きの棒嵌挿パイプ９ｃは円環９ｂの上端面側に固着されているが、円環９ｂの下端面側に固着されていても良い。
【００３４】
本発明の形態４に係る中空糸モジュールを、夾雑物除去装置の平面図の図８を参照しながら説明する。なお、本発明の形態４が上記形態１と相違するところは、夾雑物除去装置の構成の相違にあり、それ以外は全く同構成であるから、夾雑物除去装置の構成についての説明に止める。
【００３５】
本発明の形態４に係る中空糸モジュールの夾雑物除去装置１０は、上記形態３と同様に中空糸モジュールの上部固定部側から外装されて装着されるもので、後述するように構成されている。即ち、この夾雑物除去装置１０は、上部固定部の上面に支えられる水平板部材と、この水平板部材と直角に連なり、下方に延びる垂直板部材とからなる、側面視Γ状の支持ブラケット１０ａを備えている。この支持ブラケット１０ａの下端部には、所定幅の条部材からなる円環１０ｂが固着されている。そして、この円環１０ｂに、後述する夾雑物除去部材１０ｄが取付けられている。
【００３６】
前記夾雑物除去部材１０ｄは、円環１０ｂの外周面に、内径側より外径側の高さが高くなるように，内径側が固着されてなる環状の夾雑物捕捉網１０ｇと、円環１０ｂの上端面に斜め上向きに固着された棒嵌挿パイプ１０ｃに嵌挿され、端部付近にストッパ１０ｆが外嵌され、先端が図示しない中空糸膜群内に突入する夾雑物誘導棒１０ｅとから構成されている。なお、夾雑物捕捉網１０ｇの網目は粗くて良く、網目を構成する線同士の間隔は、例えば１０ｍｍ程度にすれば良い。
【００３７】
本発明の形態５に係る中空糸モジュールを、夾雑物除去装置の平面図の図９と、図９のＤ矢視図の図１０を参照しながら説明する。なお、本発明の形態５が上記形態１と相違するところは、夾雑物除去装置の構成の相違にあり、それ以外は全く同構成であるから、夾雑物除去装置の構成についての説明に止める。
【００３８】
本発明の形態５に係る中空糸モジュールの夾雑物除去装置１１は、中空糸モジュールの上部固定部と、下部固定部とを連結支持する２本の支持棒のそれぞれに設けられた横溝に嵌込まれて装着されるものであって、後述するように構成されている。即ち、この夾雑物除去装置１１は、所定幅の平板からなり、開口側を相対する一対の半割り円環１１ａを備えている。これら半割り円環１１ａの端部の外側の一方には一対の第１ブラケット１１ｃが設けられ、他方には一つの第２ブラケット１１ｄが設けられている。
【００３９】
即ち、一方の半割り円環１１ａに設けられた一対の第１ブラケット１１ｃの間に、他方の半割り円環１１ａに設けられた第２ブラケット１１ｄを嵌込む。また、他方の半割り円環１１ａに設けられた一対の第１ブラケット１１ｃの間に、一方の半割り円環１１ａに設けられた第２ブラケット１１ｄを嵌込む。次いで、第１，２ブラケット１１ｃ、１１ｄに明けられた穴に、連結ピン１１ｅを嵌挿すると円形状に形成され、２本の支持棒３のそれぞれに設けられた横溝に嵌込まれて支持されるようになっている。
【００４０】
さらに、これら一対の半割り円環１１ａそれぞれの上端面側の周方向には、上向きに傾斜した複数の棒嵌挿パイプ１１ｂが所定の間隔で固着されており、これら棒嵌挿パイプ１１ｂのそれぞれに上記形態２において用いたものと同構成になる夾雑物除去部材８ｃの夾雑物誘導棒８ｄ側が嵌挿されている。なお、本形態５の場合も上記形態３の夾雑物除去装置と同様に、斜め上向きの棒嵌挿パイプ１１ｂは半割り円環１１ａの下端面側に固着されていても良い。
【００４１】
本発明の形態６に係る中空糸モジュールを、夾雑物除去装置の平面図の図１１を参照しながら説明する。なお、本発明の形態６が上記形態１と相違するところは、夾雑物除去装置の構成の相違にあり、それ以外は全く同構成であるから、夾雑物除去装置の構成についての説明に止める。
【００４２】
本発明の形態６に係る中空糸モジュールの夾雑物除去装置１２は、上記形態５の場合と同様に、中空糸モジュールの上部固定部と下部固定部とを連結支持する２本の支持棒のそれぞれに設けられた横溝に嵌込まれて装着されるものであって、後述するように構成されている。即ち、この夾雑物除去装置１２は、所定幅の平板からなり、開口側を相対する一対の半割り円環１２ａを備えている。これら一対の半割り円環１２ａの端部の外側の一方には一対の第１ブラケット１２ｃが設けられ、他方には一つに第２ブラケット１２ｄが設けられている。
【００４３】
そして、一方の半割り円環１２ａの一対の第１ブラケット１２ｃの間に他方の半割り円環１２ａの第２ブラケット１２ｄが嵌込まれ、また他方の半割り円環１２ａの一対の第１ブラケット１２ｃの間に一方の半割り円環１２ａの第２ブラケット１２ｄが嵌込まれる。
次いで、第１，２ブラケット１２ｃ，１２ｄに明けられた穴に、連結ピン１２ｅが嵌挿されることにより円形状に形成され、２本の支持棒３のそれぞれに設けられた横溝に嵌込まれるように構成されている。さらに、これら一対の半割り円環１２ａそれぞれに、後述する夾雑物除去部材１０ｄが取付けられている。
【００４４】
前記夾雑物除去部材１０ｄは、一対の半割り円環１２ａそれぞれの外周面に、内径側より外径側の高さが高くなるように，内径側が固着された半割り環状の夾雑物捕捉網１０ｇ、１０ｇと、一対の半割り円環１２ａそれぞれの上端面側に斜め上向きに固着された棒嵌挿パイプ１２ｂに嵌挿され、端部付近にストッパ１０ｆが外嵌され、先端が図示しない中空糸膜群内に突入する夾雑物誘導棒１０ｅとから構成されている。
【００４５】
本発明の形態７に係る中空糸モジュールを、夾雑物除去装置の平面図の図１２を参照しながら説明する。なお、本発明の形態７が上記形態１と相違するところは、夾雑物除去装置の構成の相違にあるから、夾雑物除去装置の構成についての説明に止める。
【００４６】
本発明の形態７に係る中空糸モジュールの夾雑物除去装置１３は、例えばすだれ方式と呼ばれている中空糸モジュールの上部固定部側から外装されて装着されるもので、後述するように構成されている。即ち、この夾雑物除去装置１３は、上部固定部の上面に支えられる水平板部材と、この水平板部材と直角に連なり、下方に延びる垂直板部材とからなる、側面視Γ状の支持ブラケット１３ａを備えている。そして、この支持ブラケット１３ａの下端部に、所定幅の条部材からなる、細長い矩形枠１３ｂが固着されている。
【００４７】
前記矩形枠１３ｂの上端面側の長手方向には、上向きに傾斜した複数の棒嵌挿パイプ１３ｃが所定の間隔で固着されており、これら棒嵌挿パイプ１３ｃのそれぞれに、上記形態２において用いたものと同構成になる夾雑物除去部材８ｃの夾雑物誘導棒８ｄ側が嵌挿されている。なお、本形態７に係る中空糸モジュールの夾雑物除去装置１３の場合には、斜め上向きの棒嵌挿パイプ１３ｃは矩形枠１３ｂの上端面側に固着されているが、矩形枠１３ｂの下端面側に固着されていても良い。
【００４８】
本発明の形態８に係る中空糸モジュールを、夾雑物除去装置の平面図の図１３を参照しながら説明する。なお、本発明の形態８が上記形態１と相違するところは、夾雑物除去装置の構成の相違にあるから、夾雑物除去装置の構成についての説明に止める。
【００４９】
本発明の形態８に係る中空糸モジュールの夾雑物除去装置１４は、上記形態７の場合と同様に、すだれ方式の中空糸モジュールの上部固定部側から外装されて装着されるもので、後述するように構成されている。即ち、この夾雑物除去装置１４は、上部固定部の上面に跨がる一対の二股状支持ブラケット１４ａを備えている。これら一対の二股状支持ブラケット１４ａの一方同士と他方同士の下端のそれぞれには、所定幅の平板からなる真直な平板状バー１４ｂが平衡に固着されている。
【００５０】
そして、これら平板状バー１４ｂの上端面側の長手方向には、上向きに傾斜した複数の棒嵌挿パイプ１４ｃが所定の間隔で固着されており、これら棒嵌挿パイプ１４ｃのそれぞれに、上記形態２において用いたものと同構成になる夾雑物除去部材８ｃの夾雑物誘導棒８ｄ側が嵌挿されている。なお、本形態８に係る中空糸モジュールの夾雑物除去装置１４の場合には、斜め上向きの棒嵌挿パイプ１４ｃは平板状バー１４ｂの上端面側に固着されているが、平板状バー１４ｂの下端面側に固着されていても良い。
【００５１】
本発明の形態９に係る中空糸モジュールを、夾雑物除去装置の断面図の図１４を参照しながら説明する。なお、本発明の形態９が上記形態１と相違するところは、夾雑物除去装置の構成の相違にあるから、夾雑物除去装置の構成についての説明に止める。
【００５２】
本発明の形態９に係る中空糸モジュールの夾雑物除去装置１５は、上記形態７、８の場合と同様に、すだれ方式の中空糸モジュールの上部固定部側から外装されて装着されるもので、後述するように構成されている。即ち、この夾雑物除去装置１５は、上部固定部と下部固定部とを長手方向の端部を連結する支持棒に所定の張力が付与されて装着される所定幅のゴムバンド１５ａを備えている。このゴムバンド１５ａの上端面の長手方向には、上向きに傾斜した棒嵌挿パイプ１５ｃが固着されてなる二股状嵌込具１５ｂが所定の間隔で複数嵌着されており、これら二股状嵌込具１５ｂの棒嵌挿パイプ１５ｃのそれぞれに、上記形態２において用いたものと同構成になる夾雑物除去部材８ｃの夾雑物誘導棒８ｄ側が嵌挿されている。
【００５３】
上記形態２乃至９に係る中空糸モジュールの夾雑物除去装置の場合にあっては、この夾雑物除去装置の作用や効果について何ら説明していないが、何れの場合にあっても、水処理槽内に吹き込まれる圧縮空気による上昇流に随伴されて中空糸膜群に沿って上昇する髪の毛等の繊維状の夾雑物は、夾雑物除去部材の夾雑物誘導棒によって中空糸膜群外へ誘導されると共に、夾雑物捕捉棒や夾雑物捕捉網によって捕捉される。従って、これら形態２乃至９に係る中空糸モジュールによれば、何れも上記形態１に係る中空糸モジュールと同等の効果を得ることができる。
【００５４】
ところで、以上の各形態に係る中空糸モジュールの夾雑物除去装置の夾雑物第２誘導棒については、何れも真直状である場合を例として説明した。しかしながら、これに限らず、例えば夾雑物第２誘導棒の棒本体の先端部を下向きや、くの字状にしたり、また先端部に複数の細線状部材を植設して、夾雑物第２誘導棒の先端部を歯間ブラシ状の形状に構成することができる。このような構成にすると、真直状の夾雑物第２誘導棒の場合と異なり能率良く髪の毛等の繊維状の夾雑物を捕捉することができるという効果を得ることができる。また、本発明の形態３乃至８の円環や平板状バーおよび形態９に係るゴムバンドの断面形状は上下方向が長い矩形状であるが、正方形でも円形でも良いので、断面形状に限定されるものではない。
【００５５】
なお、以上では、上部固定部と下部固定部とにより両端が固着された中空糸膜の集合体からなる中空糸膜群を備えた構成の中空糸モジュールを例として説明した。しかしながら、これに限らず、上部固定部と下部固定部とにより両端が固着された複数の中空糸束を備えた上記従来例に係る中空糸モジュールに対しても適用することができる。また、上記形態に係る中空糸モジュールは、本発明の具体例に過ぎない。従って、上記構成によって本発明の中空糸モジュールの技術的思想の適用範囲が限定されるものではなく、本発明の技術的思想を逸脱しない範囲内における設計変更等は自由自在である。
【図面の簡単な説明】
【００５６】
【図１】本発明の形態１に係る中空糸モジュールの側面図である。
【図２】図１のＡ−Ａ線断面図である。
【図３】本発明の形態１に係り、夾雑物除去装置の正面図である。
【図４】図３のＢ部拡大図である。
【図５】本発明の形態２に係り、夾雑物除去装置の斜視図である。
【図６】本発明の形態３に係り、夾雑物除去装置の側面断面図である。
【図７】図６のＣ部拡大図である。
【図８】本発明の形態４に係り、夾雑物除去装置の平面図である。
【図９】本発明の形態５に係り、夾雑物除去装置の平面図である。
【図１０】図９のＤ矢視図である。
【図１１】本発明の形態６に係り、夾雑物除去装置の平面図である。
【図１２】本発明の形態７に係り、夾雑物除去装置の平面図である。
【図１３】本発明の形態８に係り、夾雑物除去装置の平面図である。
【図１４】本発明の形態９に係り、夾雑物除去装置の断面図である。
【図１５】従来例に係る中空糸モジュールの一部断面示概念図である。
【符号の説明】
【００５７】
１…中空糸モジュール，２…上部固定部，２ａ…透過液出口，３…支持棒，４…下部固定部，５…中空糸膜群，６…空気供給管路，７…夾雑物除去装置，７ａ…棒支持ロッド，７ｂ…夾雑物除去部材，７ｃ…夾雑物誘導棒，７ｄ…棒嵌挿パイプ，７ｅ…夾雑物第２誘導棒，７ｆ…ストッパ
８…夾雑物除去装置，８ａ…支持ブラケット，８ｂ…棒嵌挿パイプ，８ｃ…夾雑物除去部材，８ｄ…夾雑物誘導棒，８ｅ…夾雑物第２誘導棒，８ｆ…ストッパ
９…夾雑物除去装置，９ａ…支持ブラケット，９ｂ…円環，９ｃ…棒嵌挿パイプ，８ｃ…夾雑物除去部材，８ｄ…夾雑物誘導棒，８ｅ…夾雑第２誘導捉棒，８ｆ…ストッパ
１０…夾雑物除去装置，１０ａ…支持ブラケット，１０ｂ…円環，１０ｃ…棒嵌挿パイプ，１０ｄ…夾雑物除去部材、１０ｅ…夾雑物誘導棒，１０ｆ…ストッパ，１０ｇ…夾雑物捕捉網
１１…夾雑物除去装置，１１ａ…半割り円環，１１ｂ…棒嵌挿パイプ，１１ｃ…第１ブラケット，１１ｄ…第２ブラケット，１１ｅ…連結ピン，８ｃ…夾雑物除去部材，８ｄ…夾雑物誘導棒，８ｅ…夾雑第２誘導捉棒
１２…夾雑物除去装置，１２ａ…半割り円環，１２ｂ…棒嵌挿パイプ，１２ｃ…第１ブラケット，１２ｄ…第２ブラケット，１２ｅ…連結ピン，１０ｄ…夾雑物除去部材、１０ｅ…夾雑物誘導棒，１０ｆ…ストッパ，１０ｇ…夾雑物捕捉網
１３…夾雑物除去装置，１３ａ…支持ブラケット，１３ｂ…矩形枠，１３ｃ…棒嵌挿パイプ，８ｃ…夾雑物除去部材，８ｄ…夾雑物誘導棒，８ｅ…夾雑物第２誘導棒
１４…夾雑物除去装置，１４ａ…二股状支持ブラケット，１４ｂ…平板状バー，１４ｃ…棒嵌挿パイプ，８ｃ…夾雑物除去部材，８ｄ…夾雑物誘導棒，８ｅ…夾雑物第２誘導棒
１５…夾雑物除去装置，１５ａ…ゴムバンド，１５ｂ…二股状嵌込具，１５ｃ…棒嵌挿パイプ，８ｃ…夾雑物除去部材，８ｄ…夾雑物誘導棒，８ｅ…夾雑物第２誘導棒，８ｆ…ストッパ
【図１】
2006204978.tif 000003
【図２】
2006204978.tif 000004
【図３】
2006204978.tif 000005
【図４】
2006204978.tif 000006
【図５】
2006204978.tif 000007
【図６】
2006204978.tif 000008
【図７】
2006204978.tif 000009
【図８】
2006204978.tif 000010
【図９】
2006204978.tif 000011
【図１０】
2006204978.tif 000012
【図１１】
2006204978.tif 000013
【図１２】
2006204978.tif 000014
【図１３】
2006204978.tif 000015
【図１４】
2006204978.tif 000016
【図１５】
2006204978.tif 000017